(57)【特許請求の範囲】
【請求項１】
２つの接続端子を有する本体と、
前記本体に取り付けられ前記本体に対して回動可能であり回動に伴って前記接続端子間を導通または非導通にする接触片を有する回動レバーと、
ほぼ中央に前記回動レバーを挿通する孔を有し前記本体に取り付けたときに前記回動レバー周辺を覆うように構成されたカバーとを備え、
前記回動レバーは先端部が回動方向と直角方向に曲がって幅広くなり一方に前記カバーの孔を挿通する挿通端を有し前記カバーの孔をこの挿通端から挿通して前記本体への取り付け位置へ回動する間の回動レバーの回動軸を含む断面における回動レバーの幅は前記カバーの孔の前記断面における幅より小になるように形成されていて前記本体への取り付けが可能であることを特徴とするリミットスイッチ。
【請求項２】
回動レバーは２つの回動支軸の部分の幅の中央に成す垂直面と、回動レバー先端の直角に曲がった部分の中央に成す垂直面とがほぼ一致するように構成されたことを特徴とする請求項１記載のリミットスイッチ。
【発明の詳細な説明】
【０００１】
【発明の属する技術分野】
本発明は電気機器や電子機器に使用されるリミットスイッチに関するものである。
【０００２】
【従来の技術】
従来、リミットスイッチは特開昭５９ー２６８４３号に記載されたものが知られている。図５は従来のリミットスイッチを用いたコンパクトディスクローディングメカニズムの斜視図であり、符号１はコンパクトディスク（以下ＣＤと略称する）のローディングメカニズム本体、２はＣＤが載置されるＣＤトレイであり、ＣＤトレイ２には押しリブ２ａが設けられている。従来のリミットスイッチ３はローディングメカニズム本体１に取り付けられている。
【０００３】
ローディングメカニズム本体１には、詳細は図示しないがＣＤを演奏する機構や、ＣＤトレイ２を矢印Ｘ方向へ押し出してＣＤを載置可能にしたり、あるいは演奏終了したＣＤを交換できるローディング機構を有している。このローディング機構により、ローディングメカニズム本体１に収納されたＣＤトレイ２を、矢印Ｘ方向へ押し出し、作動部である押しリブ２ａがリミットスイッチ３の回動レバー４を押す。するとリミットスイッチ３の接続端子は導通状態に、すなわちＯＦＦ状態からＯＮ状態に変わることにより、ＣＤトレイ２が所定の位置まで押し出されて来たことを電気的に検知でき、ローディング機構を停止することができるよう構成されている。
【０００４】
図６は従来のリミットスイッチ３の拡大斜視図、図７は同分解斜視図を示す。本体５は、その長辺となる両側面の一端の上部に回動レバー４の回動支軸４ｂ，４ｃを保持するための孔５ａ，５ｂを有し、短辺となる両側面にはカバー８の孔８ｂ，８ｃを係止するための凸部５ｃ，５ｄを有している。本体５の下部に別部材で導電材料からなる接続端子６、７を有している。接続端子６は配線基板へ接続するための足６ａと接触面６ｂとを有し、接続端子７は配線基板へ接続するための３本の足７ａ，７ｂ，７ｃと接触面７ｄとを有する。
【０００５】
回動レバー４は、幅寸法Ａである先端部４ａと、回動支軸４ｂ，４ｃおよびストッパ部４ｄとを有している。そして回動レバー４の下部には別部材で、導電性でかつばね性材料からなる接触片９を有し、その先端は２分岐して板ばね部９ａ，９ｂとなっている。
【０００６】
カバー８は、コの字状に折り曲げられ、ほぼ中央に回動レバー４を挿通するために長辺方向に沿った矩形の孔８ａを、短辺の側面部に本体５の凸部５ｃ，５ｄと係合するための孔８ｂ，８ｃを有している。
【０００７】
次にこの従来のリミットスイッチ３の組立方法を説明する。まず回動レバー４の回動支軸４ｂ，４ｃを本体５の孔５ａ，５ｂに挿入する。すると回動レバー４は、本体５の孔５ａ，５ｂを軸受けとして、ここを中心に回動可能になる。次にカバー８の孔８ａに回動レバー４の先端部４ａを通し、さらに、本体５の凸部５ｃ，５ｄとカバー８の孔８ｂ，８ｃを係合させることにより組み立ては完成する。組み立後、回動レバー４は、下部に設けた接触片９の板ばね部９ａ，９ｂのばね性により上方に押し上げられるが、回動レバー４のストッパ部４ｂがカバー８の内面に当たるため、回動レバー４は所定の角度の位置で停止する。このとき、接触片９の板ばね部９ａ，９ｂは、いずれも接続端子７の接続面７ｄと接触している。そのため接続端子６と７とは未だ導通状態ではない。
【０００８】
動作は、図５でも説明したように、ＣＤトレイ２の押しリブ２ａが回動レバー４の先端部４ａを矢印Ｘ方向に押すと、回動レバー４が本体５の穴５ａ，５ｂを中心に時計方向に回動する。すると接触片９が回動レバー４の回動とともに移動し、接触片９の板ばね部９ａが接続端子７の接触面７ｄから接続端子６の接触面６ｂに移動する。接触片９の板ばね部９ｂは接続端子７の接触面７ｄに接触したままである。そこで接続端子６と７とは接触片９の板ばね部９ａ，９ｂを介して導通状態になる。
【０００９】
【発明が解決しようとする課題】
図５において、ＣＤトレイ２の作動部である押しリブ２ａが回動レバー４の先端部４ａを押すとき、リミットスイッチ３またはＣＤトレイの２の押しリブ２ａが矢印Ｙ方向にずれていると、押しリブ２ａが回動レバー４の先端部４ａを押さない場合があり、リミットスイッチ３はＯＮしない。そこで、通常は押しリブ２ａの幅を広くすることで、この問題を解決しているが、樹脂成形のＣＤトレイ２の場合、トレイ２の裏からＴ字状に形成された押しリブ２ａの幅を広げると、トレイ２の表面にえくぼ状態の「ひけ」が発生するので、必要以上に幅広にできない。一方、リミットスイッチ３は、カバー８の孔８ａに通すことで組み立てられるので、回動レバー４の先端部４ａの幅寸法Ａを必要以上に大きくすることができない。
【００１０】
そこで、図８に示すように、リミットスイッチ３の回動レバー４の先端部４ａに、別部材のキャップ１３を固定し、その幅寸法Ｂを大きくすることでこの問題の対策としてきたが、このリミットスイッチは、別部材であるキャップ１３が必要なことと、それを回動レバー４の先端部４ａに固定するという作業が発生するため、リミットスイッチとして非常にコスト高になっていた。
【００１１】
本発明は、キャップという別部材を用いることなく、回動レバーの先端部が幅広くでき、多少の位置ずれがあっても確実にスイッチをＯＮにすることができる優れたリミットスイッチを提供することを目的としてなされたものである。
【００１２】
【課題を解決するための手段】
この課題を解決するために本発明のリミットスイッチは、その請求項１において、２つの接続端子を有する本体と、本体に取り付けられ本体に対して回動可能であり回動に伴って接続端子間を導通または非導通にする接触片を有する回動レバーと、ほぼ中央に回動レバーを挿通する孔を有し本体に取り付けたときに回動レバー周辺を覆うように構成されたカバーとを備え、回動レバーは先端部が回動方向と直角方向に曲がって幅広くなり一方にカバーの孔を挿通する挿通端を有しカバーの孔をこの挿通端から挿通して本体への取り付け位置へ回動する間の回動レバーの回動軸を含む断面における回動レバーの幅はカバーの孔の断面における幅より小になるように形成された構成である。
【００１３】
この構成により、回動レバーの先端部が広くなっていてもカバーの孔を回動レバーの挿通端から挿通して回動しながら本体に取り付けることができ、回動レバーの先端部が広い面を持っているため機器側の作動部の幅が狭くても、多少の位置ずれがあってもリミットスイッチを確実に動ささせることができる。
【００１４】
請求項２においては、請求項１の構成において、回動レバーは２つの回動支軸の部分の幅の中央に成す垂直面と、回動レバー先端の直角に曲がった部分の中央に成す垂直面とがほぼ一致するような構成となっており、この構成によって、機器側の作動部により回動レバーの先端部を押されたときのねじれの発生が少なくなるという作用を有する。
【００１５】
【発明の実施の形態】
以下本発明の実施の形態について、図面に基づいて説明する。
【００１６】
（実施の形態１）
図１は本発明の第１の実施の形態のリミットスイッチ１１の分解斜視図を示し、従来例と同じ構成部品である本体５、接続端子６，７、カバー８、および接触片９については同一符号を付して詳細な説明は省略する。従来のリミットスイッチ３の構成部品と異なるものは、回動レバー１０であり、その先端部１０ａに、回動方向とは直角方向に曲がり、広がった面をもつ構成になっている点である。そして、これによりその先端部１０ａの幅寸法Ｂは、回動中心付近の幅寸法Ａよりも大きくできる。また回動レバー１０の先端根元部１０ｅの幅寸法は回動中心付近の幅寸法Ａよりも小さくなっている。また、回動支軸１０ｂ，１０ｃとストッパ部１０ｄは、従来の回動レバー４と同一形状である。
【００１７】
組み立て方法は、図２の側面図のようにカバー８を垂直にして横方向からレバー１０の先端部１０ａに接近させカバー８の孔８ａに先端部１０ａの挿通端１０ｆを通し、カバー８を反時計方向に回動させながら下方へ下げていく。図２の面、すなわち回動レバー１０の回動軸を含む面における回動レバー１０の先端根元部１０ｅの幅寸法が寸法Ａよりも小さくし、かつ先端部１０ａから取り付け位置への取り付けのためのカバー８の回動中のすべての部分の断面の幅は孔８ａの幅Ｃより狭く形成しておけば、カバー８の孔８ａに回動レバー１０の先端部１０ａ、先端根元部１０ｅを巧く通せて、本体５の突起５ｃ，５ｄとカバー８の孔８ｃ，８ｄとを係合させて組み立てられる。このような構成により孔８ａの幅Ｃより幅の広い先端部１０ａを孔８ａに挿通させ、回動レバー１０以外は従来例と同様の部品を用いて組み立てることが可能になる。
【００１８】
以上のように構成されたリミットスイッチ１１について、その動作は従来のリミットスイッチ３と同様に回動レバー１０の先端部１０ａが、ＣＤトレイの押しリブ２ａに押されることで、回動レバー１０が時計方向に回動し、回動レバー１０下部に設けられた接触片９の板ばね部９ａが接続端子の接触面６ｂに接触することにより、接続端子６と７とは、接触片９の板ばね部９ａ，９ｂを介して導通状態になる。
【００１９】
以上のように本実施形態によれば、回動レバー１０の先端部１０ａに、回動方向とは直角方向に広がった面を持つ構成にするだけで、従来例のような別部材のキャップを用いることなく、回動レバー１０の先端部１０ａの幅寸法を大きくすることができる。
【００２０】
（実施の形態２）
次に、図３は第２の実施の形態のリミットスイッチの回動レバー１２を示している。その他のリミットスイッチの構成部品は実施の形態１と同様であり、同一符号を付けて説明を省略する。
【００２１】
本実施の形態の回動レバー１２が第１の実施の形態の回動レバー１１と異なる点は、その先端部１２ａと先端根元部１２ｅの位置である。先端部１２ａは、幅寸法はＢで、実施の形態１と同じであるが、面全体が回動中心方向へ平行移動している。すなわち回動レバー１２において先端部１２ａの面の中央に成す垂直面と、２つの回動支軸１２ｂ、１２ｃ部分の幅の中央に成す垂直面とがほぼ一致するよう構成されている。また、このため先端根元部１２ｅは同図のように外側に湾曲しており、その幅寸法は実施の形態１同様、回動中心付近の幅寸法Ａよりも小さくなっている。そうして第１の実施形態と同様にカバー８を垂直にして横方向からレバー１２の先端部１２ａに接近させカバー８の孔８ａに先端部１２ａの挿通端１２ｆを通し、カバー８を反時計方向に回動させながら下方へ下げて組み立てればよい。
【００２２】
以上のように構成されたリミットスイッチについて、その動作は実施の形態１同様に回動レバー１２の先端部１２ａが、ＣＤトレイの押しリブ２ａに押されることで、回動レバー１２が回動し、同下部に設けられた接触片９の板ばね部９ａが接続端子の接触面６ｂに接触することにより、接続端子６、７が導通状態になる。このとき、ＣＤトレイの押しリブが回動レバー１２の先端部１２ａを押しても、先端部１２ａの面の中央に成す垂直面と、２つの回動支軸１２ｂ、１２ｃの幅の中央に成す垂直面とがほぼ一致するよう構成されているため、回動レバー１２はＣＤトレイの押しリブ２ａの押圧力によって、ねじれることなく回動できる。
【００２３】
なお、実施の形態１、２でリミットスイッチの回動レバーを押す押しリブをＣＤトレイの押しリブ２ａとしたが、ＣＤトレイに限らず、あらゆる電気機器、電子機器での押しリブでも同様の効果を得られることはいうまでもない。
【００２４】
【発明の効果】
以上説明したように本発明のリミットスイッチによれば、請求項１の構成により、従来例のような別部材のキャップを用いることなく、回動レバーの先端部の幅寸法を大きくすることができ、回動レバーの先端部が広くなっていてもカバーの孔を回動レバーの挿通端から挿通して回動しながら本体に取り付けることができ、回動レバーの先端部が広い面を持っているため機器側の作動部の幅が狭くても多少の位置ずれがあってもリミットスイッチを確実に動作させるという有利な効果が得られる。
【００２５】
また請求項２の構成により機器側の作動部により回動レバーの先端部が押されたときのねじれの発生を少なくすることができる。
【図面の簡単な説明】
【図１】本発明の実施の形態１のリミットスイッチの分解斜視図
【図２】同じくそのカバー取り付け状態の説明側面図
【図３】本発明の実施の形態２におけるリミットスイッチの回動レバーの斜視図
【図４】同じくそのカバー取り付け状態の説明側面図
【図５】従来のリミットスイッチの使用例であるＣＤローディングメカニズム斜視図
【図６】従来のリミットスイッチの外観斜視図
【図７】同じくその分解斜視図
【図８】従来のリミットスイッチにキャップを取り付けた状態の斜視図
【符号の説明】
５  本体
６，７  接続端子
８  カバー
９  接触片
１０，１２  回動レバー
１０ａ，１２ａ  回動レバーの先端部
１０ｂ，１０ｃ  回動支軸
１０ｅ，１２ｅ  回動レバーの先端根元部
１０ｆ，１２ｆ  挿通端
１１  リミットスイッチ
【図１】
0003610725.tif 000002
【図２】
0003610725.tif 000003
【図３】
0003610725.tif 000004
【図４】
0003610725.tif 000005
【図５】
0003610725.tif 000006
【図６】
0003610725.tif 000007
【図７】
0003610725.tif 000008
【図８】
0003610725.tif 000009